(57)【要約】  固定プレートに垂設されたピンと、支持基台におけるピンが嵌挿される部分との誤差を容易に改善し得る歯科作業模型の基台を提供する。本発明の歯科作業模型の基台(１)は、上面に歯形模型(２)が固定される固定プレート(１０)と、固定プレート(１０)の下面に垂設されたピン(２０)と、固定プレート(１０)にピン(２０)を介して着脱自在に連結される支持基台(３０)とからなる歯科作業模型の基台であって、支持基台(３０)は、固定プレート(１０)との連結部となる平面部(３１)にピン(２０)が嵌挿される貫通孔(３２)が形成されており、平面部(３１)の裏面側には、貫通孔(３２)の周縁から、その内周面でピン(２０)を摺動可能に保持する保持部(３３)が１つの貫通孔(３２)に対して複数垂設されている、ことを特徴とする。
2016021050.tif 000002
【特許請求の範囲】
【請求項１】
上面に歯形模型が固定される固定プレートと、前記固定プレートの下面に垂設されたピンと、前記固定プレートに前記ピンを介して着脱自在に連結される支持基台とからなる歯科作業模型の基台であって、  前記支持基台は、前記固定プレートとの連結部となる平面部に前記ピンが嵌挿される貫通孔が形成されており、前記平面部の裏面側には、前記貫通孔の周縁から、その内周面で前記ピンを摺動可能に保持する保持部が１つの貫通孔に対して複数垂設されている、歯科作業模型の基台。
【請求項２】
前記ピンが、底面視長円状、長方形状又は楕円状であり、前記保持部が、その内周面で前記ピンの両側部のそれぞれを摺動可能に保持するように１つの貫通孔に対して２つ垂設されている、請求項１に記載の歯科作業模型の基台。
【請求項３】
前記支持基台が、前記平面部の周囲から垂設された周壁を備えるとともに、前記周壁と前記保持部とがリブで連結されている、請求項１又は２に記載の歯科作業模型の基台。
【請求項４】
前記支持基台の各貫通孔の周縁から垂設された各保持部が連通している、請求項１から３までのいずれかに記載の歯科作業模型の基台。
【発明の詳細な説明】
【技術分野】
【０００１】  本発明は、歯科補綴物等の作製等の歯科作業に用いる歯科作業模型の基台に関する。
【背景技術】
【０００２】  人間の歯の歯質の一部または大部分が、齲蝕あるいはその他の原因によって欠損している場合に、処置する歯冠は、その全ての面を切削し、鋳造された金属で被覆して、咀嚼その他の生理的機能を回復することを必要とする。そのための修復物は、複雑な形態をもち、さまざまな要件を満たさなければならないため、修復物は、口腔内で直接製作することは不可能である。このために、修復物は、口腔外で製作されなければならないが、その製作のためには口腔内の状態を口腔外に再現した作業模型を必要とする。その作業模型は、支台歯、歯列、欠損部その他の口腔内の形態を正確に再現したものでなければならない。【０００３】  従来、歯科補綴物製作時には、（１）患者の口腔からとった歯形に石膏を流して石膏模型を作製し、（２）前記石膏模型にダウエルピン植立のための孔を形成し、（３）前記孔に瞬間接着剤を流し込んで、ダウエルピンを植立・固定し、（４）さらに回転防止溝を形成し、（５）石膏模型の下面とダウエルピンの表面に離型剤を塗布し、予め石膏泥を充填した支持基台用のシリコーンゴム型に押し込み、石膏ペーストが硬化した後、脱型して歯科作業模型とする。【０００４】  さらに、最近では、作業性を向上させ、また量産性を実現するため、合成樹脂製の歯科作業模型の提案もなされている。  例えば、土台と固定プレートとの対向面の側部に、互いに嵌着できる複数の柱状凸部と柱状凹部を側縁から離れて設けると共に、土台と固定プレートの長手方向に沿って中央部に所定の間隔離して、ダウエルピンと、このダウエルピンを挿入する連結穴を配設し、ダウエルピンを連結穴に、柱状凸部を柱状凹部に挿入して、固定プレートをプラスチック製の土台の定位置に連結することとして、土台をプラスチックで均一に多量生産しながら、固定プレートを土台の定位置にしっかりと連結できるとされる歯科技工用作業模型が提案されている（特許文献１参照）。  この技術は、プラスチック製の土台において、連結穴が、直接に挿入するダウエルピンではなく、金型に設けている成形ピンで成形されるために、挿入するダウエルピンに対して形状や位置に誤差ができ、このため、ダウエルピンを連結穴に挿入して固定プレートを土台に連結する状態で、固定プレートを土台の定位置にしっかりと連結するのが難しいという問題を克服するものであるとされる。
【先行技術文献】
【特許文献】
【０００５】
【特許文献１】特許第５１６４２３３号公報
【発明の概要】
【発明が解決しようとする課題】
【０００６】  上記特許文献１に記載の技術は、連結穴が、挿入するダウエルピンに対して形状や位置に誤差ができるということを前提とした上で、それによる固定プレートと土台の位置ずれを改善するべく、柱状凸部と柱状凹部の嵌合により、固定プレートと土台との連結を強固にしようとするものであり、連結穴とダウエルピンとの間の誤差自体を改善するものではない。【０００７】  そこで、本発明は、固定プレートに垂設されたピンと、支持基台（特許文献１の発明でいうところの土台）におけるピンが嵌挿される部分（特許文献１の発明でいうところの連結穴）との誤差自体を改善し得る歯科作業模型の基台を提供することを目的とする。
【課題を解決するための手段】
【０００８】  本発明者らは、上記課題を解決するために鋭意研究を重ね、その結果、特許文献１の歯科技工用作業模型では、ダウエルピンは、土台の筒体内に挿入されることとなっているが、ダウエルピンの周囲全面を囲うこのような筒体を形成するのではなく、支持基台において、固定プレートとの連結部となる平面部にピンが嵌挿される貫通孔を形成し、平面部の裏面側に、前記貫通孔の周縁から、その内周面で前記ピンを摺動可能に保持する保持部が１つの貫通孔に対して複数垂設されるように構成することが有効であることを見出し、本発明を完成するに至った。【０００９】  すなわち、本発明にかかる歯科作業模型の基台は、上面に歯形模型が固定される固定プレートと、前記固定プレートの下面に垂設されたピンと、前記固定プレートに前記ピンを介して着脱自在に連結される支持基台とからなる歯科作業模型の基台であって、前記支持基台は、前記固定プレートとの連結部となる平面部に前記ピンが嵌挿される貫通孔が形成されており、前記平面部の裏面側には、前記貫通孔の周縁から、その内周面で前記ピンを摺動可能に保持する保持部が１つの貫通孔に対して複数垂設されている、ことを特徴とする。
【発明の効果】
【００１０】  本発明によれば、支持基台において、貫通孔の周縁から、その内周面でピンを摺動可能に保持する保持部が１つの貫通孔に対して複数垂設されているので、ピンと保持部との間に寸法誤差があっても、ピンの全周を覆い隠していた従来の筒体とは異なって、その測定誤差を目視によって容易かつ詳細に確認することができ、寸法誤差をどのように是正するべきかを容易に判断することができる。  しかも、従来の筒体と異なり、複数の保持部によってピンを保持するので、特に、支持基台が樹脂成形品である場合において、金型の設計や調整の際にも、保持部ごとの対応が可能で、的確な箇所のみを微調整することができ、自由度が高い。  また、保持部と保持部の間に存在する離間部分により、ピンの全周を覆い隠していた従来の筒体と比べて、目視できる領域が広いということは、清掃等が容易であるという利点にも繋がる。
【図面の簡単な説明】
【００１１】
【図１】本発明の一実施形態に係る歯科作業模型の基台を上側から見た分解斜視図である。
【図２】本発明の一実施形態に係る歯科作業模型の基台を下側から見た分解斜視図である。
【図３】本発明の一実施形態に係る歯科作業模型の基台の断面図である。
【図４】図３に示す歯科作業模型の基台のＸ−Ｘ線断面図である。
【図５】本発明の一実施形態に係る歯科作業模型の基台から分割模型を取り出した様子を示す分解斜視図である。
【図６】本発明の一実施形態に係る歯科作業模型の基台に歯科作業模型を固定した状態において、分割模型を切り出す様子を示す上面図である。
【図７】本発明の一実施形態に係る歯科作業模型の基台に歯科作業模型を固定した状態において、分割模型を切り出す様子を示す正面図である。
【図８】本発明の一実施形態に係る歯科作業模型の基台に歯科作業模型を固定した状態において、分割模型を切り出す様子を示す上面図である。
【図９】本発明の一実施形態に係る歯科作業模型の基台に歯科作業模型を固定した状態において、分割模型を切り出す様子を示す正面図である。
【図１０】本発明の一実施形態に係る歯科作業模型の基台の底面図である。
【図１１】本発明の構成を満たさない歯科作業模型の基台の底面図である。
【図１２】本発明の一実施形態に係る歯科作業模型の基台を咬合器と連結した状態を示す正面図である。
【図１３】本発明の一実施形態に係る歯科作業模型の基台をマウント及びパッキンと連結した状態を上側から見た斜視図である。
【図１４】本発明の一実施形態に係る歯科作業模型の基台をマウント及びパッキンと連結した状態を上側から見た分解斜視図である。
【図１５】本発明の一実施形態に係る歯科作業模型の基台をマウント及びパッキンと連結した状態を下側から見た斜視図である。
【図１６】本発明の一実施形態に係る歯科作業模型の基台をマウント及びパッキンと連結した状態を下側から見た分解斜視図である。
【図１７】リブの変形例を示す、歯科作業模型の基台の断面図である。
【図１８】リブの変形例を示す、歯科作業模型の基台の支持基台を下側から見た斜視図である。
【図１９】本発明の一実施形態に係る馬蹄形の歯科作業模型の基台をマウント及びパッキンと連結した状態を上側から見た分解斜視図である。
【図２０】本発明の一実施形態に係る馬蹄形の歯科作業模型の基台（２分割）をマウント及びパッキンと連結した状態を上側から見た分解斜視図である。
【図２１】本発明の一実施形態に係る馬蹄形の歯科作業模型の基台（３分割）をマウント及びパッキンと連結した状態を上側から見た分解斜視図である。
【図２２】本発明の一実施形態に係る馬蹄形の歯科作業模型の基台（３分割）をマウント及びパッキンと連結した状態を上側から見た分解斜視図である。
【発明を実施するための形態】
【００１２】  以下、本発明にかかる歯科作業模型の基台について、図面を参照しつつ詳しく説明するが、本発明の範囲はこれらの説明に拘束されることはなく、以下の例示以外についても、本発明の趣旨を損なわない範囲で適宜変更実施し得る。
【００１３】  図１は本発明の一実施形態に係る歯科作業模型を上側から見た分解斜視図、図２は下側から見た分解斜視図、図３は断面図である。図４は、図３におけるＸ−Ｘ線断面図である。
【００１４】  歯科作業模型の基台１は、上面に歯形模型２が固定される固定プレート１０と、固定プレート１０の下面に垂設されたピン２０と、固定プレート１０にピン２０を介して着脱自在に連結される支持基台３０とからなる。
【００１５】  この実施形態において、固定プレート１０は、歯形模型２の形状に合うように、長方形の平面形状を備えている。
【００１６】  固定プレート１０の材料としては、合成樹脂が好ましい。他の材料を混入させずに合成樹脂のみを材料としても良いが、無機材料を混入させた合成樹脂がより好ましい。無機材料を混入させた合成樹脂を材料とすると、石膏製の歯形模型２と固定して一体的に切断する際に、この切断を、違和感なく容易になし得るからである。また、無機材料を混入した場合には及ばないものの、木材の粉（おがくず）などの有機材料を混入させることによっても、類似の効果が得られる。さらに、無機材料と有機材料の両方を混入させても良い。
【００１７】  無機材料を混入させた合成樹脂を材料とする場合において、無機材料の混入割合は、例えば、５０重量％以下であることが好ましく、３０〜４０重量％であることが好ましい。また、無機材料は、硬度０．５〜２のものが好ましく、具体的には、例えば、石膏、タルク、牡蠣の貝殻の粉などが好ましく挙げられる。  より具体的には、例えば、ポリスチレン樹脂に、石膏を３０〜４０重量％程度混入させ、有機系発泡剤としてアゾジカルボンアミドのセルマイクを０．７重量％の割合で添加し、そのような分散混合物を、射出成形機内で２００〜２１０℃で溶融混練したのち、低発泡の射出成形によって作製したものなどが挙げられる。
【００１８】  ピン２０は、固定プレート１０に一体的に成形されたものが生産効率等の点で好ましいが、本発明は、固定プレート１０に接着剤などで固定されたり、固定プレート１０に孔を開け、当該孔にピン２０の上端を挿入することにより固定されたりしたものを排除するものではない。
【００１９】  ピン２０の材料は、ピン２０を固定プレート１０と一体的に成形する場合には、固定プレート１０と同様の材料となるが、固定プレート１０にピン２０を植設する場合など、別個に製造する場合においては、固定プレート１０と異なる材料であっても良く、例えば、金属などを材料としたものであってもよい。
【００２０】  また、複数のピン２０は、図２に見るように（後述の図１０も参照）、それぞれ、底面視長円状であるが、このように非円状であることで、ピン２０を支持基台３０の貫通孔３２及び保持部３３に挿入したときの固定プレート１０の回転が抑制される。もっとも、ピン２０の底面視形状は、長円状に限られるものではなく、適宜の形状とすることができ、例えば、長方形や楕円形としてもよく、これらの形状を採用した場合も、ピン２０を支持基台３０の貫通孔３２及び保持部３３に挿入したときの固定プレート１０の回転が抑制される。
【００２１】  ピン２０は、先細りのテーパ状となっており（特に、図４参照）、これにより、支持基台３０の貫通孔３２及び保持部３３への挿入がスムーズに行い得るものとなっている。  複数のピン２０は、固定プレート１０の長手方向に沿って一定間隔をあけて、互いに平行な位置関係で垂設されている。  ここで、歯形模型２は、図５に示すように、各模型歯２ｂの両側に切断されて分割される。  そのため、各分割模型２ａにピン２０が配置され、分割模型２ａの各々が支持基台３０に着脱自在となるように構成されている。  固定プレート１０に対する複数のピン２０の位置関係としては、固定プレート１０の長端縁及び短端縁と適宜の間隔をあけて配置されている。
【００２２】  支持基台３０の材料は、合成樹脂が好ましい。従来の石膏製の支持基台のように、型枠等に石膏を流し込むなどの作業工程が不要であり、また、量産が可能となるからである。  支持基台３０の材料として、固定プレート１０の材料と同様に、無機材料を混入した合成樹脂を採用することしても良いが、支持基台３０の材料は、固定プレート１０とは異なった材料であることが、両者の適度な嵌合の調節を行う上で有利であることが確認できている。  従って、好ましくは、支持基台３０の材料は無機材料等を混入しない合成樹脂とし、固定プレート１０の材料は無機材料等を混入した合成樹脂とするのが良い。  具体的に好ましい例を挙げれば、例えば、ポリスチレン樹脂を射出成形機内で溶融混練したのち、射出成形によって作製したものが挙げられる。
【００２３】  なお、支持基台３０は合成樹脂を低発泡させたものであってもよく、この場合、発泡剤として公知の物理発泡剤や化学発泡剤を選択することができるが、発泡率上昇に伴って精密度低下が起こり得ることに留意するべきである。
【００２４】  支持基台３０は、固定プレート１０との連結部となる平面部３１に、ピン２０が嵌挿される貫通孔３２が形成されている。  支持基台３０は、平面部３１の裏面側に、貫通孔３２の周縁から保持部３３が垂設されている。  貫通孔３２の内周形状及び保持部３３の内周形状は、基本的にピン２０の外周形状に沿うように設計されている。  本実施形態では、保持部３３は、その内周面で底面視長円状のピン２０の両側部のそれぞれを摺動可能に保持するように、１つの貫通孔に対して２つ設けられている。すなわち、保持部３３Ａがピンの側部２０Ａを、保持部３３Ｂがピンの側部２０Ｂを、それぞれ、内周面で摺動可能に保持している。  このようにして、ピン２０が貫通孔３２及び保持部３３に対し摺動可能となっている。
【００２５】  なお、貫通孔３２及び保持部３３の合計長さは、ピン２０の全長よりも若干短く設定されている。具体的には、例えば、ピン２０を嵌挿した状態において、ピン２０の先端が保持部３３の先端よりも１ｍｍ程度突出するような寸法となっている（特に、図４参照）。これによれば、当該突出部を下から押し上げることにより、貫通孔３２及び保持部３３からピン２０を取り出す作業がしやすいという利点がある。
【００２６】  固定プレート１０は、その長端縁とピン２０との間に、長手方向に沿って、ピン２０の配置間隔と同様の間隔で、凹部１１が設けられている。  一方、支持基台３０の上面には、固定プレート１０の凹部１１と嵌り合う凸部３４が設けられている。  この凹部１１と凸部３４との嵌合により、支持基台３０と固定プレート１０の連結が強固なものとなる。  本実施形態では、凸部３４は、四角柱状の外形を備えているが、これに限定されるものではなく、例えば、円柱状、半球状等であってもよい。  凹部１１は、凸部３４の外形に適合する形状としている。凸部３４の形状が異なれば、それに応じて凹部１１の形状も異なったものとなる。
【００２７】  支持基台３０の上面には、溝３５が設けられている。  この溝３５は、歯形模型２から分割模型２ａを分割するため、歯形模型２及び固定プレート１０を切断する際に有用である。  すなわち、固定プレート１０と支持基台３０を連結したときに、歯形模型２及び固定プレート１０を切断するための鋸（例えば、石膏切断用の糸鋸）を、刃を上向きにして溝３５に配置し、そこから切り上げていくことができ、そうすることで、分割模型２ａが、確実に一定以上の底面積を備えたものとなる。  特に、不正配列歯において、各模型歯２ｂの両側に沿って切断するのでは、十分な底面積を確保できないことがあるため、上記のようにして下側から切り上げて一定以上の底面積を確実に確保することの意義は大きい。
【００２８】  このことについて、図６〜９に基づき、具体的に説明する。  まず、固定プレート１０と支持基台３０とを連結すると、固定プレート１０の下面に設けた溝３５の部分に空間が生じる。ここに鋸を、歯を上向きにして配置し、そこから鋸を上方に切り上げる。  この切り上げは、上端まで完結させずに途中で止める。図６，７では、この切り上げ工程における鋸の経路を符号Ａで示した。
【００２９】  他方で、歯形模型２の模型歯２ｂの両側に沿って、鋸の歯を入れ、上方から切り下ろす。その際、上記切り上げ工程における鋸の停止位置に繋がるように切り下ろす。図８，９では、この切り下げ工程における鋸の経路を符号Ｂで示した。
【００３０】  以上のようにすることで、模型歯２ｂの両側に沿って切り出すことができるとともに、一定以上の底面積を確実に確保できる。
【００３１】  固定プレート１０の上面には、歯形模型２を固定するときにピン２０の位置を確認するための位置マーク１２が形成されている。  位置マーク１２は長円形状の印であるが、これに限定されるものではなく、二重丸印、文字、数字、記号等の形状であってもよい。
【００３２】  固定プレート１０の長辺の側部には、位置マーク１２の延長線上に、ラインマーク１３が各々平行に突設されている。  歯形模型２が固定プレート１０に固定された状態では位置マーク１２は隠れて見えなくなるが、この状態でも、ラインマーク１３によりピン２０の位置が確認できる。  本実施形態では、固定プレート１０の片側としているが両側に設けても良い。また、本実施形態では、ラインマーク１３は突設されているが、溝状であっても良い。
【００３３】  支持基台３０は、平面部３１の周囲から垂設された周壁３６を備えている。  周壁３６には、固定プレート１０の位置マーク１２及びラインマーク１３の延長線上に、ラインマーク３７が各々平行に突設されている。  本実施形態では、支持基台３０の片側としているが、固定プレート１０のラインマーク１３に関して述べたのと同様に、両側に設けても良いし、また、突設ではなく、溝状であっても良い。
【００３４】  次に、固定プレート１０と支持基台３０の連結部分について、より詳しく説明する。  図１０は、支持基台３０に固定プレート１０を連結したときの底面図である。  また、従来の筒体を備えた支持基台３０を用いた場合との違いを示すため、このような筒体２１０を備えた支持基台３００に固定プレートを連結したときの底面図を図１１に示す。
【００３５】  図１１に示す歯科作業模型の基台では、支持基台３００に固定プレートを連結した状態において、底面側から観察しても、ピン２００及び筒体３３０の先端部分しか確認できないから、寸法誤差を改善するにしても、その手掛かりを得ることはできない。  支持基台３００に固定プレートを連結した際の挿入感やぐらつき感といった感覚だけを頼りに、金型の微調整と、支持基台３００と固定プレートとの連結を繰り返して行うことは現実的ではないから、結局、特許文献１に記載のように、支持基台３００と固定プレートの寸法誤差がある程度生じ得ることを前提として、他の嵌合手段を併用することによって固定を強固とするといった手段が模索されてきたのが現状であった。
【００３６】  これに対し、図１０に見るように、本発明の歯科作業模型の基台１では、ピン２０がその周囲全面にわたって保持部３３によって覆われてしまっているわけではないので、各保持部３３間の間隙から、ピン２０と保持部３３との嵌合具合を観察することができる。  この観察は、目視だけでなく、適宜の測定機器（例えば、テレスコープ、ルーペなど）によって行うこともできるので、嵌合具合を非常に精密に把握することも可能である。
【００３７】  しかも、複数の保持部３３によってピン２０が保持されるため、筒体３３０のようにピン２００の周囲全体にわたって繋がっている場合と異なり、金型を分割構造として、例えば、目視や測定機器による観察によって調整を要すると評価された保持部３３のみを個別に微調整するといったことも可能となり、金型の設計や調整における自由度が格段に向上するという効果も発揮される。
【００３８】  なお、図１０に見るように、支持基台３０の周壁３６と保持部３３は、リブ３８で連結されている。また、各貫通孔３２の周縁から垂設された保持部３３同士がリブ３８を介して連通されている。  このような構成によって保持部３３を補強することができる。なお、本実施形態ではこのようにリブ３８を設けているが、周壁３６や保持部３３の厚みを厚くするなどにより、リブ３８を設けなくても十分な強度が確保できる場合などにおいては、リブ３８を設けないこととしても良い。
【００３９】  本発明の歯科作業模型の基台１は、咬合器７０に連結して使用することができる。  図１２は、上記実施形態に係る歯科作業模型の基台１を咬合器７０に連結した状態を示す正面図である。  図１３は、歯科作業模型の基台１をマウント４０及びパッキン５０と連結した状態を上側から見た斜視図であり、図１４は、歯科作業模型の基台１をマウント４０及びパッキン５０と連結した状態を上側から見た分解斜視図である。  図１５は、歯科作業模型の基台１をマウント４０及びパッキン５０と連結した状態を下側から見た斜視図であり、図１６は、歯科作業模型の基台１をマウント４０及びパッキン５０と連結した状態を下側から見た分解斜視図である。
【００４０】  歯科作業模型の基台１にはマウント４０及びパッキン５０が連結され、さらに石膏６０により咬合器７０と連結されている。
【００４１】  支持基台３０は、平面部３１の周縁から周壁３６が垂下しているが、支持基台３０とマウント４０とは、支持基台３０における周壁３６の下方端縁とマウント４０の上面に形成された嵌合突状部４１及び嵌合挟持部４２とが嵌り合うことによって連結される。
【００４２】  マウント４０は、例えば、合成樹脂製であり、支持基台３０の底面より一回り大きな上面を備える平面視長方形の板状である。支持基台３０の底面より一回り大きな上面を備えることで、咬合器７０への歯科作業模型の基台１の装着と取り外しが容易になし得るようになっている。
【００４３】  マウント４０の嵌合突状部４１は、支持基台３０における周壁３６の下方端縁の内周面に嵌合する。本実施形態では、嵌合突状部４１の四隅が面取りされている。  マウント４０の嵌合挟持部４２は、支持基台３０における周壁３６の下方端縁の四隅に対応する位置に配置され、上端が半球状を呈した円柱形状である。  各四隅部分では、嵌合突状部４１の面取り部分と嵌合挟持部４２によって３点でバランスよく保持される。  もっとも、嵌合突状部４１の四隅が面取りされていることは必須ではなく、また、嵌合挟持部４２の形状も円柱形状に限られない。例えば、嵌合突状部４１の四隅は面取りされていなくても良いし、嵌合挟持部４２の形状は、四角柱状、半球状などであってもよい。
【００４４】  マウント４０の下面には、中央に、石膏６０と接着されることとなる円柱状の接着用凸部４３が形成されている。接着用凸部４３は、縦横に接着用溝４３１が形成されており、石膏６０がこの接着用溝４３１に入り込むようになっている。
【００４５】  また、マウント４０の下面には、両側の短端縁に、パッキン５０を保持するための保持用突状部４４が垂設されている。  接着用凸部４３と保持用突状部４４の高さは同じにしている。
【００４６】  パッキン５０は、石膏６０での咬合器７０の装着時において、マウント４０と石膏６０との間に介在することとなる。  パッキン５０には柔軟性を持たせることが好ましい。そのためには、例えば、合成樹脂やゴム等の柔軟性のある材料で作製すればよい。  パッキン５０は、平面視長方形の板状である。また、パッキン５０の短辺の長さはマウント４０の短辺の長さと同一であり、パッキン５０の長辺の長さは、パッキン５０がマウント４０の２つの保持用突状部４４の間に嵌まり込んで保持される長さに調整されている。  パッキン５０の厚みは、マウント４０の接着用凸部４３及び保持用突状部４４の高さと同じにしている。  パッキン５０の中央には、マウント４０の接着用凸部４３と同一の寸法の嵌合孔５１が穿設されている。
【００４７】  パッキン５０により、歯科作業模型の基台１を咬合器７０に装着したときの石膏６０の使用量を最小量に抑えることができる。  また、パッキン５０が柔軟性を備えることで、歯科作業模型の基台１を咬合器７０から取り外す作業が容易である。
【００４８】  以上、本発明の一実施形態について詳述したが、本発明は、この実施形態に限るものではなく、その技術的思想を逸脱しない限り、種々の変更実施が可能である。  そのような変形例は、上記説明中においても適時に例示しているが、その他、例えば、以下のような変更実施も可能である。
【００４９】  すなわち、例えば、上記実施形態では、溝３５を支持基台３０の上面に形成するようにしたが、固定プレートの下面に形成するようにしても良いし、支持基台の上面と固定プレートの下面の両方に形成するようにしても良い。支持基台の上面と固定プレートの下面の両方に溝を形成する場合には、それらの溝は、互いに対向するように形成することができる。
【００５０】  また、上記実施形態では、ピン２０と貫通孔３２及び保持部３３との嵌合、並びに凹部１１と凸部３４との嵌合によって、固定プレート１０と支持基台３０とをバランスよく連結固定させるようにしたが、ピン２０と貫通孔３２及び保持部３３との嵌合のみで十分に固定できる場合は、凹部１１と凸部３４を設けないようにしても良く、また、逆に凹部１１と凸部３４との嵌合のみで十分に固定できる場合は、ピン２０と貫通孔３２及び保持部３３とで密に固定されることは必須ではない。
【００５１】  さらに、上記実施形態では、支持基台３０の周壁３６と保持部３３とをリブ３８で連結し、また、各貫通孔３２の周縁から垂設された保持部３３同士をリブ３８を介して連通するようにし、保持部３３を補強するように構成している。  そして、上記実施形態では、図２、図４などから明らかなように、支持基台３０の周壁３６と保持部３３とを連結するリブ３８は矩形状を呈している。  これに対して、支持基台３０の周壁３６と保持部３３とを幅方向で連結するリブとして、例えば、三角形状のリブを採用することもできる。図１７及び図１８は、そのようなリブの変形例を示している。  図１７は、図２に示す支持基台３０において、支持基台３０の周壁３６と保持部３３とを幅方向で連結するリブの形状のみを変更したものである。図１８は、図４に示す歯科作業模型の基台１において、支持基台３０の周壁３６と保持部３３とを幅方向で連結するリブの形状のみを変更したものである。  図１７及び図１８において、支持基台３０の周壁３６と保持部３３とを幅方向で連結するリブ３８Ａは、三角形状を呈しており、具体的には、リブ３８Ａは、一辺において支持基台３０の周壁３６と接しており、一辺において支持基台３０の平面部３１の裏面と接しているが、支持基台３０の保持部３３とは接していない点で、図２、図４などに示す上記実施形態とは異なる。  支持基台３０の保持部３３とは接していないことで、保持部３３が両側に拡がり得るものとなる。そのため、ピン２０を保持部３３に挿入する作業がよりスムーズになることや、ピン２０と保持部３３との間に若干の寸法誤差があっても、保持部３３が両側に拡がって、ピン２０の挿入が可能となることが期待される。  このように、図１７及び図１８に示す変形例では、保持部３３が両側に拡がることを可能としつつ、固定リブ３８Ａによる補強効果も一定程度確保することが可能となっている。  なお、従来技術における筒体、例えば、図１１に示すような筒体３３０においては、ピンの全面を囲うように全周が連続しているものであるから、外側に拡がるということは考えにくい。
【００５２】  また、上記実施形態に係る歯科作業模型の基台１は偏顎用であるが、本発明は、全顎用にも適用可能である。この場合、例えば、歯科作業模型の基台を、馬蹄形に構成すればよい。これについて、以下に、図１９〜２２を参照して説明する。  なお、既に説明した内容と重複する説明については適宜割愛する。例えば、図１９〜２２では明示されていないが、支持基台３０には、平面部３１の裏面側において、図１０等に示すのと同様に、貫通孔３２の周縁から、その内周面でピン２０を摺動可能に保持する保持部３３が１つの貫通孔に対して複数垂設されている。
【００５３】  図１９に示す実施形態は、馬蹄形の歯科作業模型の基台に関する。  図１９は、歯科作業模型の基台１をマウント４０及びパッキン５０と連結した状態を上側から見た分解斜視図である。  固定プレート１０、支持基台３０、マウント４０及びパッキン５０の形状が、長方形の平面形状ではなく、馬蹄形の平面形状であること以外は、図１等で詳述した偏顎用の基台の実施形態と異なるところはない。
【００５４】  図２０に示す実施形態は、２分割タイプの馬蹄形の歯科作業模型の基台に関する。  図２０は、歯科作業模型の基台１をマウント４０及びパッキン５０と連結した状態を上側から見た分解斜視図である。  この実施形態では、支持基台３０が、前歯部分中央において、支持基台３０Ａと支持基台３０Ｂに２分割されている。これに対応して、マウント４０において、支持基台３０における周壁３６の下方端縁の内周面に嵌合する嵌合突状部４１も嵌合突状部４１Ａと嵌合突状部４１Ｂに２分割されている。  以上の点以外は、図１９に示す実施形態と異なるところはない。
【００５５】  図２１に示す実施形態は、３分割タイプの馬蹄形の歯科作業模型の基台に関する。  図２１は、歯科作業模型の基台１をマウント４０及びパッキン５０と連結した状態を上側から見た分解斜視図である。  この実施形態では、支持基台３０が、支持基台３０Ｃと支持基台３０Ｄと支持基台３０Ｅに３分割されている。これに対応して、マウント４０において、支持基台３０における周壁３６の下方端縁の内周面に嵌合する嵌合突状部４１も嵌合突状部４１Ｃと嵌合突状部４１Ｄと嵌合突状部４１Ｅに３分割されている。  本実施形態において、固定プレート１０は、固定プレート１０Ａと固定プレート１０Ｂとからなり、前歯部分に相当する部分は備えていない。  支持基台３０Ｃには固定プレート１０Ａが、支持基台３０Ｄには固定プレート１０Ｂが、それぞれ、ピン２０を介して着脱自在に連結されている。  支持基台３０Ｅは、前歯部分に相当し、固定プレート１０Ａと支持基台３０Ｃ、固定プレート１０Ｂと支持基台３０Ｄとを、ピン２０を介してそれぞれ連結した場合において、固定プレート１０Ａの上面、固定プレート１０Ｂの上面及び支持基台３０Ｅの上面が面一になるように、その高さが支持基台３０Ｃ及び支持基台３０Ｄよりも、固定プレート１０の厚み分だけ高くなっている。  このように固定プレート１０Ａの上面、固定プレート１０Ｂの上面及び支持基台３０Ｅの上面が面一となるように構成されていることで、馬蹄形の歯形模型を困難なく固定することができる。  以上の点以外は、図１９に示す実施形態と異なるところはない。
【００５６】  図２２に示す実施形態も、３分割タイプの馬蹄形の歯科作業模型の基台に関するものである。  図２２は、歯科作業模型の基台１をマウント４０及びパッキン５０と連結した状態を上側から見た分解斜視図である。  ただし、以下の点において、図２１の実施形態とは異なる。  すなわち、本実施形態では、図２１に示す実施形態のように、支持基台３０が前歯部分に相当する支持基台３０Ｅを備えることとするのではなく、これに相当する部材として盛上り部４５をマウント４０に一体的に設けるようにしている。  以上の点以外は、図１９に示す実施形態と異なるところはない。
【００５７】  以上、馬蹄形の歯科作業模型の基台の例を複数示したが、これらは、共通の部材を用いることが可能であるので、全ての部材をセットで捉える必要はなく、目的に応じて、一部の部材を変えることにより別の実施形態とすることも可能である。  例えば、図１９に示す固定プレート１０、支持基台３０、マウント４０及びパッキン５０を保有する者において、２分割形態を実施することを検討する場合には、支持基台３０を図２０に示す支持基台３０Ａ及び支持基台３０Ｂに変更し、マウント４０を嵌合突状部４１Ａと嵌合突状部４１Ｂとを備えるものに変更すれば足り、固定プレート１０及びパッキン５０は既に保有している物を利用することができる。  このように、異なる実施形態間も含めて、同一の部材を繰り返し利用することができるという点は、コスト的にも廃棄物の低減という意味においても好ましいことである。
【産業上の利用可能性】
【００５８】  本発明は、歯科作業模型の基台として、歯科補綴物の作製や義歯作製のために、広く歯科作業に利用できる。
【符号の説明】
【００５９】１      歯科作業模型の基台２      歯形模型２ａ    分割模型２ｂ    模型歯１０，１０Ａ，１０Ｂ    固定プレート１１    凹部１２    位置マーク１３    ラインマーク２０    ピン３０，３０Ａ〜３０Ｅ    支持基台３１    平面部３２    貫通孔３３    保持部３４    凸部３５    溝３６    周壁３７    ラインマーク３８，３８Ａ    リブ４０    マウント４１，４１Ａ〜４１Ｅ    嵌合突状部４２    嵌合挟持部４３    接着用凸部４３１  接着用溝４４    保持用突状部４５    盛上り部５０    パッキン５１    嵌合孔６０    石膏７０    咬合器
【図１】
2016021050.tif 000003
【図２】
2016021050.tif 000004
【図３】
2016021050.tif 000005
【図４】
2016021050.tif 000006
【図５】
2016021050.tif 000007
【図６】
2016021050.tif 000008
【図７】
2016021050.tif 000009
【図８】
2016021050.tif 000010
【図９】
2016021050.tif 000011
【図１０】
2016021050.tif 000012
【図１１】
2016021050.tif 000013
【図１２】
2016021050.tif 000014
【図１３】
2016021050.tif 000015
【図１４】
2016021050.tif 000016
【図１５】
2016021050.tif 000017
【図１６】
2016021050.tif 000018
【図１７】
2016021050.tif 000019
【図１８】
2016021050.tif 000020
【図１９】
2016021050.tif 000021
【図２０】
2016021050.tif 000022
【図２１】
2016021050.tif 000023
【図２２】
2016021050.tif 000024
【国際調査報告】
2016021050.tif 000025
2016021050.tif 000026
2016021050.tif 000027
2016021050.tif 000028